(57)【要約】【課題】細い配管２１内の種々な小石や砂の除去を水を使用しなくても確実に行える配管清掃機１０を提供すること。【解決手段】配管２１内の清掃を行う少なくとも２つの第１清掃器１１及び第２清掃器１２と、これらの第２清掃器１２と第１清掃器１１との間の相対傾動が自在となるように連結する第１連結索条１５ａとを備えたこと。【選択図】図１
2010179273.tif 000002
【特許請求の範囲】
【請求項１】
マンホールから挿入されて、このマンホールに連なる配管内の清掃を行う配管清掃機であって、
前記配管内の清掃を行う少なくとも２つの第１清掃器及び第２清掃器と、これらの第２清掃器と第１清掃器との間の相対傾動が自在となるように連結する第１連結索条とを備えたことを特徴とする配管清掃機。
【請求項２】
前記第１清掃器または第２清掃器のいずれか少なくとも一方は、中心の芯金と、これらの芯金の周りに取り付けられた清掃体と、これらの清掃体の端面を支持すべく前記芯金に固定された固定板とにより構成したことを特徴とする請求項１に記載の配管清掃機。
【請求項３】
前記清掃体は円筒状であり、かつ前記固定板は円板状であって、これらの固定板の直径は、前記清掃体のそれの４／〜９／であることを特徴とする請求項２に記載の配管清掃機。
【請求項４】
前記第１清掃器または第２清掃器のいずれか少なくとも一方を、端面に開いたゴミ収納部を有する硬質な筒部材を有したものとしたことを特徴とする請求項１〜請求項３のいずれかに記載の配管清掃機。
【請求項５】
前記筒部材の外周に清掃体を有したものとしたことを特徴とする請求項４に記載の配管清掃機。
【請求項６】
前記筒部材の外周に車輪を有したものとしたことを特徴とする請求項４または請求項５に記載の配管清掃機。
【請求項７】
前記清掃体は、スポンジ体またはブラシ体であることを特徴とする請求項２〜請求項６のいずれかに記載の配管清掃機。
【請求項８】
前記第１清掃器または第２清掃器のいずれか少なくとも一方に牽引索条ａを介して接続されるウインチを備えたことを特徴とする請求項１〜請求項７のいずれかに記載の配管清掃機。
【発明の詳細な説明】
【技術分野】
【０００１】
本発明は、配管内を清掃する清掃機に関し、特に配管の内径が人や大型機械が入れないような細い場合に適した配管清掃機に関するものである。
【背景技術】
【０００２】
例えば、下水道等の配管は、その敷設を終わった際や、メンテナンスを行う場合に、配管内部の清掃を行わなければならない。この清掃作業は、配管の内径が人や大型機械が入れるような場合では殆ど問題なく行えるが、配管が細い場合には、例えば先に清掃具を取り付けた竹竿を、マンホールの外から差し込んで人が動かす等の手間の掛かる作業を行わなければならない。
【０００３】
そこで、特許文献１や特許文献２にて提案されているような手段を使って、上記のような細い配管内の清掃を行うことが検討されている。
【先行技術文献】
【特許文献】
【０００４】
【特許文献１】特開平９−２４３５３号公報、要約
【特許文献２】特開平１１−２１００７５号公報、要約
【特許文献３】特開２００３−１３６０３１号公報、要約
【発明の概要】
【発明が解決しようとする課題】
【０００５】
特許文献１の「配管用のブレード型清掃具」は、「一回で、しかも短時間で簡単に、下水道管等の配管の清掃作業を行うことのできる清掃具を提供すること」を目的としてなされたもので、図１１にも示すように、「円筒管の左右両端に導線をくくりつけた清掃具において、該円筒管の左右両端近傍の筒面上に、配管の内径に達するようにブレードを付設した」ものである。そして、この特許文献１の段落０００６には、「また、汚れのひどさや種類に応じて、ブレード２の回りにパッド（鉄製やナイロン製のたわし）や鉄製ヤスリ等を装着し、より一層清掃効果を上げることができる。」ことも記載されている。
【０００６】
以上の特許文献１に記載されている「配管用のブレード型清掃具」は、一回で、しかも短時間で簡単に、下水道管等の配管の清掃作業を行うことができると考えられる。しかしながら、敷設直後の配管内には、大小様々な砂や小石等が散乱していることがあって、この特許文献１に記載されている「配管用のブレード型清掃具」では、これら大小様々な小石や砂等を、配管外に十分取り出すことができないのではないか、と考えられる。
【０００７】
また、特許文献２には、「下水管敷設工事完了後の工事品質を確認・検査するに際して行う下水管内の清掃を、洗浄残水不存在形態の美麗クリーニング可能にする下水管清掃方法を提供する」ことを目的としてなされた「下水管清掃方法」が記載されている。
【０００８】
この特許文献２の「下水管清掃方法」は、図１２にも示すように、「下水管内周２２に弾接する弾接周縁１２を有するゴム製板体の集水排水板１０と、外周を下水管内周２２に弾接するスポンジ体の吸水部９を主要部とする除水装置８」を採用するものであり、その前提として、「下水管内清掃用の洗浄水ノズル２を先端に有する洗浄水ホース３をマンホール５Ａから下水管１に入れて、次のマンホール５配管清掃機１０の部位に到達させ」る必要があるものである。
【０００９】
この特許文献２での「下水管内清掃用の洗浄水ノズル２を先端に有する洗浄水ホース３をマンホール５Ａから下水管１に入れて、次のマンホール５Ｂの部位に到達させ」るという前提作業はそれ程容易なことではなく、特許文献１でも述べられているように、マンホールからマンホールまでの距離が２０ｍ〜１００ｍにもなれば、「洗浄水ホース３」をマンホール５Ａから次のマンホール５Ｂに到達させ」ること自体が不可能に近くなる。
【００１０】
さらに、特許文献３には、「切断した管の内面に付着された削り粉等の塵埃を、確実に且つ容易に清掃できる管内面清掃具および管内清掃方法ならびにそれを用いた配管の敷設方法の提供」を目的としてなされたもので、図１３にも示すように、「少なくとも外周部が弾性変形自在なスポンジ質よりなる払拭子１１と、複数の払拭子１１を、それぞれ屈曲自在に直列に連結する連結手段１７と、直列に連結された複数の払拭子１１の先端を牽引するワイヤー等の屈曲自在な牽引材２１とを具備して管内面清掃具を構成する」ものである。
【００１１】
しかしながら、この特許文献３に記載された発明は、主として、「一例として原子力発電所の制御棒駆動機構より制御ユニット間を敷設する管部材の管内面清掃具」に関するものであるから、小石や砂の除去が必要なことのある下水用の配管には適していないものと考えられる。
【００１２】
そこで、本発明者等は、細い配管内の種々な水を使用しなくても小石や砂の除去を確実に行えるようにするにはどうしたらよいか、について種々検討を重ねてきた結果、本発明を完成したのである。
【００１３】
すなわち、本発明の目的とするところは、細い配管内の種々な小石や砂の除去を水を使用しなくても確実に行える配管清掃機を提供することにある。
【課題を解決するための手段】
【００１４】
以上の課題を解決するために、まず、請求項１に係る発明の採った手段は、後述する実施形態の説明中で使用する符号を付して説明すると、
「マンホール２０から挿入されて、このマンホール２０に連なる配管２１内の清掃を行う配管清掃機１０であって、
配管２１内の清掃を行う少なくとも２つの第１清掃器１１及び第２清掃器１２と、これらの第２清掃器１２と第１清掃器１１との間の相対傾動が自在となるように連結する第１連結索条１５ａとを備えたことを特徴とする配管清掃機１０」
である。
【００１５】
すなわち、この請求項１に係る配管清掃機１０は、図１または図７に示すように、少なくとも第１清掃器１１と第２清掃器１２とを備えて、これらの第１清掃器１１と第２清掃器１２との間を第１連結索条１５ａによって連結したものであり、特許文献１等において示された牽引索条１４ａ等を使用して、各マンホール２０に繋がる配管２１内の清掃を行うものである。勿論、この配管清掃機１０は、その全体を人手や後述する実施形態で例示するようなウインチ１４によって、配管２１内を移動されるものである。
【００１６】
第１清掃器１１や第２清掃器１２については、後述する実施形態で種々示すような形態のものが採用できるものであり、その構成には特に拘らないが、その清掃作業自体の確実性を確保する上では、これらの第１清掃器１１や第２清掃器１２は種類が異なっていた方がよいことがある。勿論、この請求項１の配管清掃機１０では、例示した第１清掃器１１や第２清掃器１２だけでなく、第３清掃器１３を有したものをも対象とするのであるから、例えば第１清掃器１１がブラシ体を有するもの、第２清掃器１２がスポンジ体を有するものだけでは、種々な清掃が行えないと考えられれば、この第３清掃器１３として例えばゴミ収納部１１ｄを有するものを採用すればよいことになる。
【００１７】
そして、この請求項１の配管清掃機１０で重要なことは、第１清掃器１１と第２清掃器１２との間を第１連結索条１５ａによって連結したことであり、この第１連結索条１５ａによって第１清掃器１１と第２清掃器１２とが相対傾動自在となっていることである。勿論、第３清掃器１３を採用する場合には、この第３清掃器１３と第１清掃器１１または第２清掃器１２との間を第２連結索条１５ｂによって相対傾動自在に連結することは言うまでもない。これらの第１清掃器１１、第２清掃器１２、必要に応じて第３清掃器１３が、第１連結索条１５ａや第２連結索条１５ｂによって相対傾動自在になっていれば、例えば図２に示すように、第１清掃器１１、第２清掃器１２及び第３清掃器１３が、互いに傾動できるのであり、これにより、必ずしも完全な直線状態ではない配管２１内の移動が自由になり、また各第１清掃器１１や第２清掃器１２等がゴミや砂等を大量に抱えた場合や、後述する清掃体１１ｂが減ったり変形したりしたときの第１清掃器１１や第２清掃器１２の軸心が変化した場合の移動も自由にするのである。
【００１８】
もし、各第１清掃器１１、第２清掃器１２及び第３清掃器１３の軸心が、例えば図１１に示した従来例におけるように変化できないものであると、当該配管清掃機１０全体を配管２１内を通す際に引っ掛かりが発生して、当該配管清掃機１０全体の円滑な移動が行えなくなるのであるが、本発明に係る配管清掃機１０では、これらの第１連結索条１５ａや第２連結索条１５ｂの存在によってそのような引っ掛かりがなくなるのである。
【００１９】
これらの第１連結索条１５ａや第２連結索条１５ｂの例として、後述する実施形態では、単純に「ワイヤ」を採用しているが、「ユニバーサルジョイント」のようなものを採用して実施してもよい。さらには、第１連結索条１５ａや第２連結索条１５ｂを剛体からなるものとしておいて、これらの第１連結索条１５ａや第２連結索条１５ｂと第１清掃器１１や第２清掃器１２との連結部分で傾動自在にする方法を採用して実施してもよい。
【００２０】
従って、この請求項１に係る配管清掃機１０は、細い配管２１内の種々な小石や砂の除去を水を使用しなくても確実に行えるのであり、清掃作業中において引っ掛かることがないものとなっているのである。
【００２１】
また、上記課題を解決するために、請求項２に係る発明の採った手段は、上記請求項１に記載の配管清掃機１０について、
「第１清掃器１１または第２清掃器１２のいずれか少なくとも一方は、中心の芯金１１ａ・１２ａと、これらの芯金１１ａ・１２ａの周りに取り付けられた清掃体１１ｂ・１２ｂと、これらの清掃体１１ｂ・１２ｂの端面を支持すべく芯金１１ａ・１２ａに固定された固定板１１ｃ・１２ｃとにより構成したこと」
である。
【００２２】
すなわち、この請求項２に係る配管清掃機１０は、図２に示すように、第１清掃器１１を、中心の芯金１１ａと、この芯金１１ａの周りに取り付けられた清掃体１１ｂと、この清掃体１１ｂの、例えば進行方向側の端面を支持すべく芯金１１ａに固定された固定板１１ｃとにより構成するか、あるいは、第２清掃器１２を、中心の芯金１２ａと、この芯金１２ａの周りに取り付けられた清掃体１２ｂと、この清掃体１２ｂの、例えば進行方向側の端面を支持すべく芯金１２ａに固定された固定板１２ｃとにより構成するか、これらの第１清掃器１１及び第２清掃器１２の両方について上記のように構成したものである。
【００２３】
以上のような構成によって得られる機能を、第１清掃器１１を代表として説明する（第２清掃器１２についても以下と同様である）と、まず、清掃体１１ｂは芯金１１ａの回りに取り付けられているから、この清掃体１１ｂが後述するブラシ体によって形成されていようが、スポンジ体によって形成されていようが、その先端が形成する外周面は、配管２１の内面形状に合った円柱状のものとなっている。つまり、このような第１清掃器１１を配管２１内で移動させれば、配管２１内面の下側は勿論、横方向や上方についても清掃が行えることを意味している。
【００２４】
また、以上の清掃体１１ｂは、その進行方向端面、すなわち、図１では左右両面が固定板１１ｃによって支えられているが、この固定板１１ｃの固定は芯金１１ａに対してなされているから、当該第１清掃器１１において固定板１１ｃが動くことはない。そこで、この第１清掃器１１が配管２１内を移動するとき、清掃体１１ｂは、当然、配管２１の内面に接触して曲がることになるが、固定板１１ｃによって支えられているのであるから、この清掃体１１ｂがブラシ体であってもスポンジ体であっても、配管２１内面の清掃が行えなくなる程曲がることはない。換言すれば、この清掃体１１ｂが清掃時に変形したとしても、固定板１１ｃによって支えられてその清掃機能が無くなる程変形することはないのである。
【００２５】
さらに、ブラシ体やスポンジ体からなる清掃体１１ｂは、頻繁な使用によって摩耗するが、芯金１１ａから固定板１１ｃを取り外すことによって簡単に交換することができるようにしてあり、そのために、各固定板１１ｃは芯金１１ａに対してネジやナットで止めてある。
【００２６】
従って、この請求項２に係る配管清掃機１０では、上記請求項１のそれと同様な機能を発揮する他、清掃体１１ｂの清掃時の変形が固定板１１ｃによって清掃可能な状態を維持しながら許容され、しかも清掃体１１ｂの交換が容易になっているのである。
【００２７】
さらに、上記課題を解決するために、請求項３に係る発明の取った手段は、上記請求項２に記載の配管清掃機１０について、
「清掃体１１ｂ・１２ｂは円筒状であり、かつ固定板１１ｃ・１２ｃは円板状であって、これらの固定板１１ｃ・１２ｃの直径は、清掃体１１ｂ・１２ｂのそれの４／１０〜９／１０であること」
である。
【００２８】
すなわち、この請求項３の配管清掃機１０では、上述した例えば第１清掃器１１において、清掃体１１ｂが円筒状であり、かつ固定板１１ｃが円板状であることを条件として、清掃体１１ｂと固定板１１ｃとの大きさの比が、４／１０〜９／１０となることが必要である。換言すれば、固定板１１ｃの直径を、清掃体１１ｂのそれよりも小さくするようにするとともに、その具体的範囲が、４／１０〜９／１０となるようにすることが必要なのである。
【００２９】
清掃体１１ｂと固定板１１ｃとの大きさの比が、４／１０〜９／１０となることが必要である理由は、まず、清掃体１１ｂと固定板１１ｃとの大きさの比が、４／１０よりも小さいと、固定板１１ｃによる清掃体１１ｂの端面の保護あるいは支えが十分行えなくて、固定板１１ｃを採用する意味がなくなるからである。一方、清掃体１１ｂと固定板１１ｃとの大きさの比が、９／１０よりも大きいと、固定板１１ｃが、清掃体１１ｂの曲がりや変形を殆ど許容させないことになって、清掃体１１ｂによる清掃が十分行えないだけでなく、当該配管清掃機１０の配管２１内での移動中に引っ掛かり部分を形成してしまうことにもなるから、良好な清掃作業を行えなくしてしまうからである。
【００３０】
従って、この請求項３に係る配管清掃機１０では、上記請求項２に係るそれと同様な機能を発揮する他、固定板１１ｃと、これによって支えられる清掃体１１ｂとの機能を、清掃作業に支障を来すことなく確実に発揮させる得るのものとなっている。
【００３１】
さらに、請求項４に係る発明の採った手段は、上記請求項１〜請求項３のいずれかに記載の配管清掃機１０について、
「第１清掃器１１または第２清掃器１２のいずれか少なくとも一方を、端面に開いたゴミ収納部１１ｄ・１２ｄを有する硬質な筒部材１１ｅ・１２ｅを有したものとしたこと」
である。
【００３２】
すなわち、この請求項４に係る配管清掃機１０は、第１清掃器１１または第２清掃器１２のいずれか少なくとも一方、例えば、図３の左側に示す第１清掃器１１を、端面に開いたゴミ収納部１１ｄを有する硬質な筒部材１１ｅを有したものとしたものであるが、この第１清掃器１１が図３中の矢印方向に進行する際に、配管２１内のゴミや砂がゴミ収納部１１ｄ内に自動的に入って溜められることになるのである。
【００３３】
つまり、ゴミ収納部１１ｄを有した筒状体１１ｅからなる第１清掃器１１は、先に大きなゴミや小石等を収集するから、続く第２清掃器１２の清掃体１１ｂによる「拭き掃除」が大きなゴミや小石に邪魔されることなく確実に行えるのである。
【００３４】
従って、この請求項４に係る配管清掃機１０は、上記請求項１〜請求項３のそれと同様な機能を発揮する他、ゴミ収納部１１ｄ内にて大きなゴミや小石を収納することができて、清掃の種類を増大させて、配管２１内清掃をより一層確実に行えるものとなっている。
【００３５】
また、請求項５に係る発明の採った手段は、上記請求項４に記載の配管清掃機１０について、
「筒部材１１ｅ・１２ｅの外周に清掃体１１ｂ・１２ｂを有したものとしたこと」
である。
【００３６】
すなわち、この請求項５の配管清掃機１０は、図３の左側に示す第１清掃器１１について、さらに、筒部材１１ｅの外周に清掃体１１ｂを有したものであり、この清掃体１１ｂによっての清掃も行えるようにしたものである。
【００３７】
従って、この請求項５の配管清掃機１０は、上記請求項４のそれと同様な機能を発揮する他、清掃体１１ｂによる清掃も行えるものとなっているのである。
【００３８】
さらに、請求項６に係る発明の採った手段は、上記請求項４または請求項５に記載の配管清掃機１０について、
「筒部材１１ｅ・１２ｅの外周に車輪１１ｆ・１２ｆを有したものとしたこと」
である。
【００３９】
すなわち、この請求項６に係る配管清掃機１０は、図３の左側に示す第１清掃器１１について、さらに、筒部材１１ｅの外周に車輪１１ｆを有したものとしたものであり、この車輪１１ｆによって、当該配管清掃機１０を配管２１内にての移動がより容易に行えるものとなっているである。
【００４０】
従って、この請求項６に係る配管清掃機１０は、上記請求項４または５に係るそれと同様な機能を発揮する他、車輪１１ｆによってこれが設けてある第１清掃器１１等の配管２１内にての移動が容易となっているのである。
【００４１】
そして、請求項７に係る発明の採った手段は、上記請求項２〜請求項６のいずれかに記載の配管清掃機１０について、
「清掃体１１ｂ・１２ｂは、スポンジ体またはブラシ体であること」
である。
【００４２】
後述する実施形態で説明する各種の配管清掃機１０では、その清掃体１１ｂを種々変形させる例が示されるが、その際に、この清掃体１１ｂをブラシ体またはスポンジ体とするのが、この請求項７に係る配管清掃機１０なのである。
【００４３】
ブラシ体は、試験管の掃除道具のように、細い線材を、例えば筒状体１１ｅに多数植設したり、芯金１１ａにねじ込んだりして構成されるものであり、この種の清掃用具として一般に採用されているものである。勿論、当該ブラシ体の固さは、清掃状況に合わせて種々変更できるものである。
【００４４】
一方、スポンジ体は、水を含ませて窓ガラスを拭く際に使用されるようなものであり、その発泡倍率は種々変更される。例えば、第１清掃器１１におけるスポンジ体を、第２清掃器１２におけるそれよりも硬くする等、当該スポンジ体の固さを、清掃状況に合わせて種々変更できるものである。
【００４５】
従って、この請求項７に係る配管清掃機１０では、上記請求項２〜６のそれと同様な機能を発揮する他、ブラシ体やスポンジ体の清掃用具としての長所が十分生かされているのである。
【００４６】
そして、請求項８に係る発明の採った手段は、上記請求項１〜請求項７のいずれかに記載の配管清掃機１０について、
「第１清掃器１１または第２清掃器１２のいずれか少なくとも一方に牽引索条１４ａを介して接続されるウインチ１４を備えたこと」
である。
【００４７】
すなわち、この請求項８に係る配管清掃機１０は、その全体をウインチ１４の力を借りて移動するようにしたものであり、当該配管清掃機１０による清掃作業をより一層効果的に行えるようにしたものである。
【発明の効果】
【００４８】
以上、説明した通り、本発明においては、
「マンホール２０から挿入されて、このマンホール２０に連なる配管２１内の清掃を行う配管清掃機１０であって、
配管２１内の清掃を行う少なくとも２つの第１清掃器１１及び第２清掃器１２と、これらの第２清掃器１２と第１清掃器１１との間の相対傾動が自在となるように連結する第１連結索条１５ａとを備えたこと」
にその構成上の主たる特徴があり、これにより、細い配管２１内の種々な小石や砂の除去を水を使用しなくても確実に行うことができる配管清掃機１０を簡単な構成によって提供することができるのである。
【図面の簡単な説明】
【００４９】
【図１】請求項１に係る配管清掃機を使用して配管内の清掃を行っている様子を示す縦断面図である。
【図２】図１に示した配管清掃機の拡大正面図である。
【図３】請求項２に係る配管清掃機を使用して配管内の清掃を行っている様子を示す縦断面図である。
【図４】本発明に係る配管清掃機の他の例を示し、この配管清掃機によって配管内の清掃を行っている様子を示す縦断面図である。
【図５】図４に示した配管清掃機の拡大正面図である。
【図６】本発明に係る配管清掃機のさらに他の例を示し、この配管清掃機によって配管内の清掃を行っている様子を示す縦断面図である。
【図７】図１に示した配管清掃機にウインチを付設した例を示す縦断面図である。
【図８】図６に示した配管清掃機の拡大正面図である。
【図９】配管清掃機を構成してゴミ収納部を有した清掃器の拡大断面図である。
【図１０】本発明に係る配管清掃機をマンホール内にて支持するウインチ支持台を示す斜視図である。
【図１１】従来の技術（特許文献１）を示す断面図である。
【図１２】従来の別の技術（特許文献２）を示す断面図である。
【図１３】従来のさらに別の技術（特許文献３）を示す正面図である。
【発明を実施するための形態】
【００５０】
以上のように構成した各請求項に係る発明を、図面に示した実施形態である配管清掃機１０の各実施例について説明するが、各実施例は、上記各請求項に係る発明のいずれかを含むものである。
【実施例１】
【００５１】
図１及び図２には、本発明の第１実施例である配管清掃機１０が示してあるが、この配管清掃機１０は、複数のマンホール２０に接続される配管２１内に挿入されて移動されることによって、配管２１の内面の清掃を行うものであり、第１清掃器１１と第２清掃器１２と、これらを連結する第１連結索条１５ａとによって構成したものである。なお、当該配管清掃機１０を使用するには、第１清掃器１１や第２清掃器１２の外側に連結した牽引索条１４ａを、人手によって引くか、後述するウインチ１４によって巻き取ることによって、当該配管清掃機１０を配管２１内にて移動させるようにするのである。
【００５２】
第１清掃器１１と第２清掃器１２との間を連結した第１連結索条１５ａは、図２に示したように、第１清掃器１１と第２清掃器１２との相対傾動を自在とするものであり、単なるワイヤあるいはユニバーサルジョイントが採用されるものである。なお、第１清掃器１１と第２清掃器１２との他に第３清掃器１３をも採用したい場合には、この第３清掃器１３と第１清掃器１１または第２清掃器１２との間を、第１連結索条１５ａと同様な第２連結索条１５ｂによって相対傾動自在に連結することは言うまでもない。これらの第１清掃器１１、第２清掃器１２、必要に応じて第３清掃器１３が、第１連結索条１５ａや第２連結索条１５ｂによって相対傾動自在になっていれば、第１清掃器１１、第２清掃器１２及び第３清掃器１３が、互いに傾動できるのであり、配管清掃機１０は配管２１内の移動が自由になるのである。
【００５３】
また、この実施例１に係る配管清掃機１０は、図２に示したように、第１清掃器１１を、中心の芯金１１ａと、この芯金１１ａの周りに取り付けられた清掃体１１ｂと、この清掃体１１ｂの端面を支持すべく芯金１１ａに固定された固定板１１ｃとにより構成し、第２清掃器１２についても、中心の芯金１２ａと、この芯金１２ａの周りに取り付けられた清掃体１２ｂと、この清掃体１２ｂの端面を支持すべく芯金１２ａに固定された固定板１２ｃとにより構成したものである。
【００５４】
以上のような構成によって得られる機能を、第１清掃器１１を代表として説明する（第２清掃器１２についても以下と同様である）と、まず、清掃体１１ｂは芯金１１ａの回りに取り付けられていて、清掃体１１ｂの先端が形成する外周面は、配管２１の内面形状に合った円柱状である。つまり、このような第１清掃器１１を配管２１内で移動させれば、配管２１内面の下側は勿論、横方向や上方についても清掃が行えるのである。
【００５５】
また、以上の清掃体１１ｂは、その端面、すなわち、図１では左右両面が固定板１１ｃによって支えられていて、この固定板１１ｃは芯金１１ａに対して固定してあり、当該第１清掃器１１において固定板１１ｃが動くことはない。そこで、この配管清掃機１０が配管２１内を移動するとき、各清掃体１１ｂは、当然、配管２１の内面に接触して曲がることになるが、固定板１１ｃによって支えられているのであるから、この清掃体１１ｂが後述するブラシ体であってもスポンジ体であっても、配管２１内面への接触が阻害されることはない。換言すれば、この清掃体１１ｂが清掃時に変形したとしても、固定板１１ｃによって支えられてその清掃機能が無くなる程の変形はしない。
【００５６】
さらに、ブラシ体やスポンジ体からなる清掃体１１ｂは、頻繁な使用によって摩耗するが、芯金１１ａから固定板１１ｃを取り外すことによって簡単に交換することができるのであり、そのために、各固定板１１ｃは芯金１１ａに対してネジやナットで止めてある。
【００５７】
特に、この実施例１の配管清掃機１０では、固定板１１ｃと、これによって支えられる清掃体１１ｂとの機能を、清掃作業に支障を来すことなく確実に発揮させるようにするために、清掃体１１ｂを円筒状とし、かつ固定板１１ｃを円板状として、これらの固定板１１ｃの直径を、清掃体１１ｂのそれの４／１０〜９／１０としてある。
【実施例２】
【００５８】
図３〜図５には、本発明の第２実施例に係る配管清掃機１０が示してあるが、この配管清掃機１０では、上記の第１実施例における第１清掃器１１を、端面に開いたゴミ収納部１１ｄを有する硬質な筒部材１１ｅとしたものであり、第２清掃器１２や第１連結索条１５ａについては実施例１と同様にしたものである。
【００５９】
特に、図３の左側に示した第１清掃器１１は、筒部材１１ｅの外周に清掃体１１ｂを有したものであり、さらに、この筒部材１１ｅの外周に車輪１１ｆを有したものである。
【００６０】
一方、図４及び図５に示した配管清掃機１０では、第２清掃器１２を、筒部材１２ｅの外周に清掃体１２１ｂを有したものであり、この第２清掃器１２の外側（図４及び図７の図示右側）に牽引索条１４ａを介してウインチ１４を接続したものである。このウインチ１４は、図１０に示したようなウインチ支持台３０によってマンホール２０内に固定的に支持されるものであり、上記牽引索条１４ａを介して配管清掃機１０の移動を行うものである。
【実施例３】
【００６１】
図６及び図８には、本発明の第３実施例に係る配管清掃機１０が示してあるが、図示右側ののウインチ１４に牽引索条１４ａを介して接続してある第２清掃器１２は、第２実施例で述べたものと同様であり、図９に示したように、ゴミ収納部１２ｄを有する筒状体１２ｅを採用したものである。勿論、この第２清掃器１２のゴミ収納部１２ｄ内には、当該配管清掃機１０を移動させることによってゴミや小石が自動的に捕獲される。
【００６２】
上記第２清掃器１２の左側には、第２実施例で示した第１清掃器１１と同様な第１清掃器１１が第１連結索条１５ａを介して連結してあるが、この第１清掃器１１はその清掃体１１ｂとしてブラシ体を採用したものである。この第１清掃器１１のさらに左側には、第２連結索条１５ｂを介して第３清掃器１３が接続してあるが、この第３清掃器１３は、上記第１実施例で示した第１清掃器１１と同様な構成を有するものである。つまり、この第３清掃器１３は、中心の芯金１３ａと、この芯金１３ａの周りに取り付けられた清掃体１３ｂと、この清掃体１３ｂの端面を支持すべく芯金１３ａに固定された固定板１３ｃとにより構成してある。
【符号の説明】
【００６３】
１０    配管清掃機
１１    第１清掃器
１２    第２清掃器
１３    第３清掃器
１１ａ・１２ａ・１３ａ  芯金
１１ｂ・１２ｂ・１３ｂ  清掃体
１１ｃ・１２ｃ・１３ｃ  固定板
１１ｄ・１２ｄ・１３ｄ  ゴミ収納部
１１ｅ・１２ｅ・１３ｅ  筒状体
１１ｆ・１２ｆ・１３ｆ  車輪
１４    ウインチ
１４ａ  牽引索条
１５ａ  第１連結索条
１５ｂ  第２連結索条
２０    マンホール
２１    配管
３０    ウインチ支持台
【図１】
2010179273.tif 000003
【図２】
2010179273.tif 000004
【図３】
2010179273.tif 000005
【図４】
2010179273.tif 000006
【図５】
2010179273.tif 000007
【図６】
2010179273.tif 000008
【図７】
2010179273.tif 000009
【図８】
2010179273.tif 000010
【図９】
2010179273.tif 000011
【図１０】
2010179273.tif 000012
【図１１】
2010179273.tif 000013
【図１２】
2010179273.tif 000014
【図１３】
2010179273.tif 000015
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
マンホールから挿入されて、このマンホールに連なる配管内の清掃を行う配管清掃機であって、
前記配管内の清掃を行う少なくとも２つの第１清掃器及び第２清掃器と、これらの第２清掃器と第１清掃器との間の相対傾動が自在となるように連結する第１連結索条とを備えたことを特徴とする配管清掃機。
【請求項２】
前記第１清掃器または第２清掃器のいずれか少なくとも一方は、中心の芯金と、これらの芯金の周りに取り付けられた清掃体と、これらの清掃体の端面を支持すべく前記芯金に固定された固定板とにより構成したことを特徴とする請求項１に記載の配管清掃機。
【請求項３】
前記清掃体は円筒状であり、かつ前記固定板は円板状であって、これらの固定板の直径は、前記清掃体のそれの４／１０〜９／１０であることを特徴とする請求項２に記載の配管清掃機。
【請求項４】
前記第１清掃器または第２清掃器のいずれか少なくとも一方を、端面に開いたゴミ収納部を有する硬質な筒部材を有したものとしたことを特徴とする請求項１〜請求項３のいずれかに記載の配管清掃機。
【請求項５】
前記筒部材の外周に清掃体を有したものとしたことを特徴とする請求項４に記載の配管清掃機。
【請求項６】
前記筒部材の外周に車輪を有したものとしたことを特徴とする請求項４または請求項５に記載の配管清掃機。
【請求項７】
前記清掃体は、スポンジ体またはブラシ体であることを特徴とする請求項２〜請求項６のいずれかに記載の配管清掃機。
【請求項８】
前記第１清掃器または第２清掃器のいずれか少なくとも一方に牽引索条を介して接続されるウインチを備えたことを特徴とする請求項１〜請求項７のいずれかに記載の配管清掃機。